(57)【要約】【課題】機能的な膵島を高収量でラットから効率的に分離する方法、および機能的なバイオ人工膵臓用ラット膵島を提供する。【解決手段】ラット膵島の分離方法であって、ａ）該ラットのファーター乳頭部を完全にクランプし、総胆管から膵管を介して膵臓にコラゲナーゼを注入する工程、ｂ）膵臓摘出の前に腹部大動脈を尾側で切開して失血させる工程、およびｃ）膵臓を摘出し、膵島を分離する工程を含む方法、ならびに該分離方法により得られたバイオ人工膵臓用ラット膵島。【選択図】なし【特許請求の範囲】
【請求項１】
ラット膵島の分離方法であって、
ａ）該ラットのファーター乳頭部を完全にクランプし、総胆管から膵管を介して膵臓にコラゲナーゼを注入する工程、
ｂ）膵臓摘出の前に腹部大動脈を尾側で切開して失血させる工程、および
ｃ）膵臓を摘出し、膵島を分離する工程
を含む方法。
【請求項２】
前記ａ）工程のコラゲナーゼ注入を０．５〜１．５ｍｌ／秒の速度で行なう請求項１記載の方法。
【請求項３】
前記ラットの体重が、４００ｇ以上である請求項１または２記載の方法。
【請求項４】
請求項１〜３のいずれか１項に記載の分離方法により得られたバイオ人工膵臓用ラット膵島。
【発明の詳細な説明】
【技術分野】
【０００１】
本発明は、機能的なラット膵島の分離方法に関する。詳細には、膵島の分離において、ファーター乳頭部を完全にクランプし、膵臓にコラゲナーゼを注入する工程および膵臓摘出前に失血させる工程を含むラット膵島の分離方法に関する。
【背景技術】
【０００２】
国際糖尿病連合（ＩＤＦ）は、世界の糖尿病患者数は２億３０００万人以上で、有病率は成人の全人口の６％に相当すると発表している（非特許文献１参照）。今後２０年間に３億５０００万に増加すると予測されており、糖尿病は２１世紀最大の医療問題になると警告している。増加が著しいのは２型糖尿病であるが、１型の糖尿病も増加しており、特に途上国の糖尿病の増加は深刻である。
【０００３】
近年の糖尿病治療の進歩として、膵、膵島移植がインスリン療法に変わる治療として期待されている。膵、膵島移植は生体の微妙な血糖の変動に合わせたインスリン分泌の自己調節が可能であり、糖尿病の理想的な治療である。膵島移植とは、膵臓から分離した膵島を経門脈的にレシピエントの肝臓内に移植する方法である。膵移植と膵島移植を比較すると、膵島移植は複雑な手術手技を必要とせず、膵外分泌腺による合併症がないことから、より魅力的な治療であると考えられる。２０００年にカナダのアルバーター大学から膵島移植患者７例中７例のインスリン離脱を認めたことが報告され、膵島移植が世界的に非常に注目を集めるようになった（非特許文献２参照）。このエドモントンプロトコールの発表以来、全世界で１９９９年から２００５年までの間に約４００例の膵島移植が施行され、良好なレシピエントのＱＯＬが報告されている。一方で、この移植治療の成功とは裏腹に深刻なドナー膵の不足という問題も浮上してきたことも事実である。これに加え、膵島移植は長期の免疫抑制剤の使用を必要とし、それによる様々な合併症の危険性もある（非特許文献３および４）。これらの問題を解決するため、様々な研究が続けられているが、その一つとして、バイオ人工膵臓の開発があげられる。
【０００４】
バイオ人工膵臓（bioartificial pancreas；ＢＡＰ）とは、血糖応答性のインスリン分泌細胞を被包することにより構成されるデバイスである。ＢＡＰデバイス内で、隔壁となる半透膜により被包されたインスリン分泌細胞は膜を介して酸素と栄養の供給がなされ、グルコース濃度に反応してインスリンを分泌する。この際、該半透膜（免疫隔離膜）は、細胞が生存するのに必要な酸素、栄養素、グルコースといった物質は通過するが、免疫反応に関与する細胞、抗体、補体は通過できない設計となっているため、ブタなどの異種動物膵島やインスリン分泌細胞株を使用することができる。つまり、該免疫隔離膜は、異種タンパクやウイルスを遮断することで患者を感染から守り、また使用する異種膵島や株化アロ細胞株に対しては宿主からの免疫防護のバリアーとなる。したがって、同種膵島に限定されないため、膵島移植のドナー不足を解決できる可能性がある。低侵襲な膵島移植に際しても、肝内血腫、門脈血栓症、出血などの合併症が少なからず報告されているため、ＢＡＰは、こうした膵島移植における諸問題の解決に対しても大きな可能性を秘めている。
【０００５】
また、ヒト以外の動物では、驚くことに、こうしたヒト糖尿病と類似した病態が犬においても起こっている。犬の糖尿病罹患率は０．５〜１％である。国内のペット犬の数は１２００万頭（２００６年推計）であることから、糖尿病罹患犬は６万〜１２万頭と推測される。家族の一員として共存している伴侶動物である犬とヒトの絆を保つためにも糖尿病犬の適切な治療法の開発は重要である。また、近年Dog Yearと称され、犬の１年がヒト７年の相当することから、ヒトへのデータの信憑性を評価するために犬での治療成績を還元し、治療法や新規薬物のヒト応用へのスピード化が検討されている。犬糖尿病治療に向けたバイオ人工膵臓ＢＡＰの開発を目指すに当たり、どれくらいの膵島が必要か検討したところ、１０Ｋｇビーグル犬から摘出された膵臓の大きさは２８ｇで、イヌ膵島が１５０００個であった。
【０００６】
一方、膵島の分離に関しては、膵臓摘出後の膵臓からの膵島分離については、膵島分離回路中の溶存酸素濃度を高める方法（特許文献１参照）など、種々の方法が検討されているが、膵臓摘出時の工程を検討した例は特に報告されていない。
【０００７】
ラットの膵島を効率的に回収するには、膵臓摘出時にいかに取り残しなく膵臓を他の臓器から剥離できるかということが重要であるが、膵臓はその境界がわかりにくく、摘出時に出血させてしまったり、膵臓自体に傷害をあたえてしまったりして、十分に回収できていないのが現状であった。
【０００８】
【非特許文献１】http://www.dm-net.co.jp/calendar/2006/09/004396.php
【非特許文献２】N Engl J Med 343(4): 230-238, 2000.
【非特許文献３】J Pediatr Gastroenterol Nutr 33: 445-449, 2001
【非特許文献４】Dermatol Surg 30: 628-633, 2004.Surgery 121: 1-9, 1997.
【特許文献１】特開２００７−１９５５７３号公報
【発明の開示】
【発明が解決しようとする課題】
【０００９】
本発明の目的は、より機能的な膵島を効率良く得ることができる膵島の分離方法を提供することにある。
【課題を解決するための手段】
【００１０】
本発明者らは、前記課題に鑑み鋭意検討した結果、膵島の分離にあたり、膵臓を摘出する前工程において十分に膵臓に酵素を注入することにより、より機能的な膵島を効率的に得ることができることを見出し、本発明を完成させた。
【００１１】
すなわち、本発明は、ラット膵島の分離方法であって、
ａ）該ラットのファーター乳頭部を完全にクランプし、総胆管から膵管を介して膵臓にコラゲナーゼを注入する工程、
ｂ）膵臓摘出の前に腹部大動脈を尾側で切開して失血させる工程、および
ｃ）膵臓を摘出し、膵島を分離する工程
を含む方法に関する。
【００１２】
前記本発明の膵島の分離方法において、ａ）工程のコラゲナーゼ注入を０．５〜１．５ｍｌ／秒の速度で行なうことが好ましい。
【００１３】
本発明の膵島の分離方法において、ラットの体重が４００ｇ以上であることがより好ましい。
【００１４】
本発明は、前記膵島の分離方法により得られたバイオ人工膵臓用ラット膵島にも関する。
【発明の効果】
【００１５】
本発明の分離方法により、体重４００ｇのラット一頭から機能的な膵島を最大数２０００個も分離することができる。これは、ラット膵島の１個あたりのサイズが犬膵島の一個あたりのそのサイズよりも３倍大きいことを考慮すると、Islet Equivalent（ＩＥＱ）の概念（直径１５０ｍｍの球状の膵島を標準として、それよりも大きな膵島はより多くのインスリン分泌能を有しているし、それよりも小さな膵島はより少ないインスリン分泌しかできないというので、ただ膵島の数だけでなく、一個の大きさを考慮した考えである）から、イヌ膵島の６０００個（イヌ１頭分の膵島は約１５０００個）に相当するものであり、ラット３頭でイヌ１頭の糖尿病の治療が可能である。
【発明を実施するための最良の形態】
【００１６】
本発明は、ラット膵島の分離方法であって、ａ）該ラットのファーター乳頭部を完全にクランプし、総胆管から膵管を介して膵臓にコラゲナーゼを注入する工程、ｂ）膵臓摘出の前に腹部大動脈を尾側で切開して失血させる工程、およびｃ）膵臓を摘出し、膵島を分離する工程を含む方法に関する。
【００１７】
本発明の分離方法においては、ファーター乳頭部を完全にクランプすることにより、コラゲナーゼを総胆管から膵管の末端まで十分に注入することができ、それにより膵臓の全域に酵素を均一に行き渡らせることができる。
【００１８】
本発明の分離方法においては、膵臓摘出の前に腹部大動脈を切開して失血させることにより膵臓摘出時の視野を十分に確保することができ、膵臓を周辺組織から剥離し切開する際に膵臓自体を傷つけ酵素が漏出するといった問題点を克服することができる。
【００１９】
本発明で用いるラットは、性別、種類など特に限定されるものではないが、実際の糖尿病の治療への適用を考慮すれば、ＳＰＦラットが好ましい。ＳＰＦラットとは、特定病原微生物のない状態（Specific Pathogen Free）で生育されたラットのことであり、ＳＰＦラットでは、ラットの指定病原体が陰性である。
【００２０】
また、実験に用いるラットとしては、２００〜２５０ｇ程度の体重のものを使用するのが一般的であるが、本発明においては、ラットの体重は重いほど良く、４００ｇ以上が好ましい。４００ｇ以下では膵島の外縁を取り巻いている被膜が十分に発達しておらず、コラゲナーゼで消化した際に膵島細胞に障害が出ことにより、得られる膵島の収量が低下する傾向がある。体重が大きくなる程、膵島の外縁を取り巻いている被膜が良く発達しているので、コラゲナーゼで消化した際に膵島細胞に障害性がなくなり、分離できる膵島細胞の数も多くなる傾向があり好ましい。
【００２１】
「ファーター乳頭部」とは、肝臓で作られる消化酵素である胆汁と、膵臓で作られる消化酵素である膵液との腸管内への出口部分を意味する。
【００２２】
ファーター乳頭部のクランプは、総胆管の拡張と続くコラゲナーゼ注入の効率のため完全に行なわなければならない。このクランプが不完全であると、コラゲナーゼ注入の際にファーター乳頭部から十二指腸の方に薬液が流れてしまい、膵管へのコラゲナーゼの流入が不良となり、膵臓の消化不良の原因となり、最終的には膵島分離の効率の低下につながる。
【００２３】
コラゲナーゼの注入は、０．５〜１．５ｍｌ／秒が好ましく、約１ｍｌ／秒がより好ましい。０．５ｍｌ／秒より遅いと十分に隅々までコラゲナーゼが行き渡らない傾向があり、１．５ｍｌ／秒より速いと圧がかかり過ぎて胆管などが損傷したりサーフローが抜け落ちたりして、結果として収量が低下する傾向がある。
【００２４】
使用するコラゲナーゼとしては、特に限定されるものではないが、Ｌｉｂｅｒａｓｅ  ＲＩ（ロッシュ社製）およびＣｏｌｌａｇｅｎａｓｅ  ｔｙｐｅＸＩ（シグマ社製）などが使用できる。
【００２５】
つぎに、膵臓摘出の前に腹部大動脈を尾側で切開してラットを失血させる必要がある。この処置を行なうことにより、膵臓摘出の際にしばしば認められる膵臓周辺からの出血を防ぐことができる。膵臓周辺に出血があると、膵臓と他の臓器との境が不明瞭となって、膵臓を摘出する際に傷つけてしまう結果となり、一旦、膵臓を傷つけるとその障害部位から注入した酵素のコラゲナーゼが漏出して、その後の膵臓の消化がうまくいかず、膵島の収量が低下する傾向がある。
【００２６】
また、膵臓の摘出にあたっては、周辺臓器から丁寧に膵臓の境界を剥離し、大網なども残さないことが重要である。当該処置が不充分だと後の膵臓の消化の工程で脂肪が多く含まれる結果となり、最終的な膵島の収量が低下する傾向がある。
【００２７】
ここで、本発明の方法を具体的に説明する。
【００２８】
ラットを呼吸がやや浅くなる程度に麻酔し、腹部を切開する。この際、できるだけ尾側から正中の腹部を切開し、側腹部を肋弓下まで切り上げて、可能な限り頭側に切開した皮膚を牽引する。ここでしっかり展開することで、肝臓が引き続く施行する実験の妨げにならない視野が確保できる。
【００２９】
つぎに、ラットの十二指腸１を同定し、総胆管２を確認する。総胆管は透見できるが糸の用に細い構造物である（図１、矢印で走行を示す）。これを尾側にたどるとファーター乳頭部３を確認することができる。ファーター乳頭部を完全にクランプ（挟む操作のこと）する。ラットの向きを頭尾反対方向にして、左右の胆管から総胆管となった直下（できるだけ頭側の胆管)で絹糸５を通してカニュレーション後のサーフロー６固定のための準備を行う。この際、膵臓よりで結紮してしまうと、膵臓を損傷する危険性があり、この操作をできるだけ頭側（肝臓より）で行うことにより、カニュレーションに失敗しても再度、膵臓よりの総胆管を切開してカニュレーションをやり直すことができる。確実に胆管であることを確認するため、マイクロ尖刀で総肝管を切開して胆汁が出てくることを確認する。サーフローを半分ほど挿入して先の絹糸５で固定する（図２）。そして、コラゲナーゼを注入し、コラゲナーゼが膵尾部にまで十分入っていること、および脾臓周辺まで膨化していることを確認する。
【００３０】
再度、ラットの体位を頭尾反対にして、膵臓の摘出を開始する。その際に、前もって、腹部大動脈を尾側で切開してラットを失血死させる。当該処置にて、引き続き施行する膵臓摘出の際に認められる膵臓周囲からの出血を防ぐことができ、きれいに膨張して花が咲いたようになった膵臓７（図３、矢印で周辺組織との境界を示す）を周囲組織（大腸、小腸、脾臓、胃８、十二指腸１および後腹膜）から剥離し摘出できる（図４）。大網がくっついてくるが、周辺臓器から丁寧に膵臓の境界を剥離する。
【００３１】
摘出した膵臓の消化、膵島の分離および浄化は、従来の方法を使用することもできるが、本発明の分離方法では、膵臓摘出までに特定の工程を経ることにより、従来よりも簡単な方法で膵島を分離および浄化することができる。
【００３２】
その具体的内容は、例えば、以下のとおりである。
（１）摘出した膵臓および冷コラゲナーゼ溶液を入れたコニカルチューブを３７℃の恒温槽で静置、湯浸することにより膵臓を消化する。
（２）その後、直ちに冷却した血清含有培養液、たとえば冷ハンクス平衡塩溶液（ＨＢＳＳ）＋１０％ＦＢＳを混入し、コニカルチューブを氷冷してコラゲナーゼを不活性化する。
（３）コニカルチューブを激しく振盪する。
（４）消化した膵組織の懸濁液をピペッターで４００μｍ程度のフィルターを通して、ビーカーに吹き付けるように注ぐ。
（５）濾過された溶液をコニカルチューブに回収する。
（６）冷ＨＢＳＳを加え、ピペッターを用いてよく混和し、４℃、１０００ｒｐｍの条件で遠心、洗浄を計数回施行する。
（７）密度勾配遠心比重液、たとえばＦｉｃｏｌｌを用い、密度勾配遠心分離により膵島を分離する。
（８）回収した膵島をコニカルチューブへ注ぎ、血清含有培養液、たとえばＨＢＳＳ＋１０％ＦＢＳを加え、遠心・洗浄を計数回行う。
（９）ペレットを培養液で攪拌し培養皿に移す。
（１０）顕微鏡下でスポイトを用いて膵島をピックアップすることで純化を行う。純化後、得られた膵島の形態評価および生存率評価を行う。
【００３３】
図５は、本発明により得られた膵島のジチゾン（Dithizone）染色による形態評価を示しており、形態も球形で縁辺がスムーズで綺麗な膵島９が確認できる。図６は、本発明により得られた膵島のＬＩＶＥ/ＤＥＡＤ Viability Kit（モレキュラー  プローブス（Molecular Probes）社製）による生存率（viability）の評価を示しており、緑色に呈色した膵島９が確認できる。
【００３４】
分離膵島の生理機能を検査する方法としては、形態学的検査項目として下記４項目を５段階（１〜５点）評価する方法が挙げられる（文献：Matsumoto S.ら、Transplantation, 2002; 74: 1414参照）
【００３５】
１．形状（shape）：
「扁平（flat）：１点」、「ほぼ扁平：２点」、「いびつな球状：３点」、「ほぼ球状：４点」、および「球状（spherical）：５点」の５段階評価する。この中では、「球状：５点」が最も好ましい。
【００３６】
２．辺縁の形状（border）：
「不ぞろいの（irregular）：１点」、「ほぼ不ぞろいの：２点」、「やや均整のとれた：３点」、「ほぼ均整のとれた：４点」、および「均整のとれた（well-rounded）：５点」の５段階評価する。この中では、「均整のとれた：５点」が最も好ましい。
【００３７】
３．統合性（integrity）：
「断片化した（fragmented）：１点」、「ほぼ断片化した：２点」、「ややソリッド／コンパクト：３点」、「ほぼソリッド／コンパクト：４点」、および「ソリッド／コンパクト（solid/compact）：５点」の５段階評価する。この中では、「ソリッド／コンパクト：５点」が最も好ましい。
【００３８】
４．直径（diameter）：
「膵島の個々が１００μｍ未満（ａｌｌ＜１００μｍ）：１点」、「膵島の個々が１００〜１５０μｍ：２点」、「膵島の個々が１２５〜１７５μｍ：３点」、「膵島の個々が１５０〜２００μｍ：４点」、および「膵島の個々中１０％以上が２００μｍより大きい（＞１０％＞２００μｍ）：５点」の５段階評価する。その中では、「膵島の個々中１０％以上が２００μｍより大きい：５点」が最も好ましい。
【００３９】
５．染色の均一性（uniformity staining）：
「均一ではない（not uniform）：１点」、「ほぼ均一でない：２点」、「やや均一：３点」、「ほぼ均一：４点」および「完全に均一（perfectly uniform）：５点」の５段階評価する。その中では、「完全に均一：５点」が最も好ましい。
【００４０】
本発明のラット膵島は、形態学的には、形状が３点以上、辺縁の形状が３点以上、統合性が３点以上、直径が３点以上、染色の均一性が３点以上、評価値の合計が１５点以上であることが好ましく、形状が４点以上、辺縁の形状が４点以上、統合性が４点以上、直径が４点以上、染色の均一性が４点以上、評価値の合計が２０点以上であることがより好ましく、形状が５点、辺縁の形状が５点、統合性が５点、直径が５点、染色の均一性が５点、評価値の合計が２５点であることが最も好ましい。
【００４１】
上記検査項目において、形状が「扁平」とは細胞を楕円状の球体とみなした際に、長軸／短軸比が１０以上であることを示し、「ほぼ扁平」とは前記長軸／短軸比が５以上１０未満であることを示し、「いびつな球状」とは前記長軸／短軸比が２以上５未満であることを示し、「ほぼ球状」とは前記長軸／短軸比が１．２以上２未満であることを示し、「球状」とは前記長軸／短軸比が１．２未満であることを示す。
【００４２】
辺縁の形状が「不ぞろいの」とは膵島の辺縁の９割以上がでこぼこしており滑らかさを欠いた辺縁であることを示し、「ほぼ不ぞろいの」とは膵島の辺縁の５割以上〜９割未満が不ぞろいであることを示し、「やや均整のとれた」とは膵島の辺縁の２割以上〜５割未満が不ぞろいであることを示し、「ほぼ均整のとれた」とは膵島の辺縁の１割以上〜２割未満が不ぞろいであることを示し、「均整がとれた」とは膵島の辺縁の１割未満が不ぞろいであることを示す。
【００４３】
統合性が「断片化した」とは膵島の中にくびれがあるものが全体の８割以上であることを示し、「ほぼ断片化した」とは膵島の中にくびれがあるものが全体の６〜８割であることを示し、「ややソリッド／コンパクト」とは膵島の中にくびれがあるものが全体の４〜６割であることを示し、「ほぼソリッド／コンパクト」とは膵島の中にくびれがあるものが全体の２〜４割であることを示し、「ソリッド／コンパクト」とは膵島の中にくびれがあるものが全体の２割以下であることを示す。
【００４４】
直径について、「膵島の個々が１００μ未満」とは膵島個々の直径が全て１００μｍ未満であることを示し、「膵島の個々が１００〜１５０μｍ」とは膵島個々の直径が１００〜１５０μｍの範囲であることを示し、「膵島の個々が１２５〜１７５μｍ」とは膵島個々の直径が１２５〜１７５μｍの範囲であることを示し、「膵島の個々が１５０〜２００μｍ」とは膵島個々の直径が１５０〜２００μｍの範囲であることを示し、「膵島の個々中１０％以上が２００μｍより大きい」とは膵島個々中１０％以上が２００μｍより大きいことを示す。
【００４５】
本発明のラットから分離された膵島を充填したバイオ人工膵臓を製造する場合、不織布などのスキャフォールドを使用することで膵島を三次元培養することが好ましい。近年、スキャフォールド上で細胞を三次元培養することでより生体内環境に近い条件を作ることができ細胞機能が向上することが知られてきており、不織布などのスキャフォールド上で膵島を培養することが機能の向上に有効である。また、膵島を高分子素材で作製したデバイス中に封入して免疫系から隔離した状態で生着させることが可能なため、バイオ人工膵臓を使用する患者の身体的負担が軽減される。したがって、本発明のバイオ人工膵臓は２１世紀の糖尿病治療における中心的役割を果たすものとして期待される。
【００４６】
バイオ人工膵臓としては、中空糸型のリアクター（デバイス）と分離・培養細胞を組み合わせたハイブリッド型の人工膵臓などが挙げられる。バイオ人工膵臓は、体外に装着して血管に接続するもの、体内に留置して血管に接続するもの、または血管に接続せずに腹腔内に留置するものの、血管に接続せず皮下に留置する４つの形態がある。本発明の膵島は、いずれの形態のバイオ人工膵臓にも使用可能であるが、任意に膵島を注入したり、取り出したりすることが可能であるように細胞注入口が装備されたものが好ましい。また、任意にリアクターを取り出せると言う点から皮下埋め込み体内型であることが好ましい。
【００４７】
バイオ人工膵臓の開発においては、リアクターの設計・開発も重要な要素である。バイオリアクターとしては、体内に留置して使用するバッグ型人工膵臓（たとえば、Nature biotechnology, Volume24, No.11, pp1412 - 1419(Published online: 05 November 2006 | doi:10.1038/nbt1257）参照。以下「ＳＧ文献」と言うこともある。当業者であれば、ＳＧ文献を参照することで、バッグ型人工膵臓を製造することが可能である。）、サーシ  バイオメディカル社（Circe Biomedical Inc.）（レキシントン、マサチューセッツ州、米国）の支援下でシダーズサイナイ医療センター（Cedars-Sinai Medical Center）（ロサンジェルス、カリフォルニア州、米国）のディメトリュー（Demetriou）らを中心としたブタ肝細胞を用いたバイオ人工肝臓治療用のヘパトアシスト（HepatAssist）（J Hepatobiliary Pancreat Surg 2001; 8: 1-15.）や、ブタ肝細胞を使用したドイツのゲルラック（Gerlach）らのＭＥＬＳ（モジュラー体外肝臓システム（Modular Extracorporeal Liver System））など、様々なタイプが知られている。これらのリアクターは、もちろん本発明において使用することができるが、膵島が付着するための足場が無いため、細胞はただ単に、中空糸内スペースか、中空糸外スペースに充填されるのみで浮遊した状態となる傾向がある。膵島は、浮遊状態では周りの細胞と衝突し、ストレス刺激を受けやすい。
【００４８】
したがって、本発明においては、膵島に足場が提供できるよう、中空糸と不織布などのスキャフォールドからなるリアクターが好ましい。
【００４９】
中空糸膜としては、膜表面に細胞が付着して物質交換が妨げられることがなければどのようなものでも使用することができ、具体的には、従来医療用に用いられている市販の物、たとえば、ポリスルフォン膜、エチレン−ビニルアルコール共重合体膜（たとえば、商品名：エバール、クラレメディカル株式会社製など）などが好ましい。市販の中空糸膜のポアサイズは、その用途から透析膜（〜５ｎｍ）、血漿成分分離膜（２０〜３０ｎｍ）、血漿分離膜（３０〜２００ｎｍ）などがある。物質の透過性の点からは、血漿分離膜（３０〜２００ｎｍ）が好ましい。拒絶反応の危険性を回避するため、中空糸内を流れる血液中の免疫担当細胞や免疫グロブリンが中空糸外の不織布などのスキャフォールド上に充填した細胞と直接接触することがないよう、３０ｎｍ〜１００ｎｍのポアサイズが最も好ましい。
【００５０】
不織布としては、細胞が接着することが出来るように加工・修飾されているものが好ましい。不織布の線維としては、ポリ四フッ化エチレン（ＰＴＦＥ）、高密度ポリエチレン（ＨＤＰＥ）などが挙げられる。なかでも、その加工のしやすさの点から、高密度ポリエチレンにポリアミノ酸ウレタン（ＰＡＵ）加工を施したものＰＡＵ加工ＨＤＰＥが好ましい。また、自己組織化ペプチドハイドロゲル、たとえば、株式会社スリーディー・マトリックス・ジャパンより市販されている、アミノ酸配列Ａｃ−（ＲＡＤＡ）4−ＣＯＮＨ2を有する自己組織化ペプチドゲルPuraMatrix（登録商標）にて表面加工することも可能である。
【００５１】
本発明の膵島細胞を使用するためのバイオ人工膵臓の概略図を図７に示す。バイオ人工膵臓は、免疫担当細胞の透過を阻止するための中空糸膜１２、細胞接着のための不織布１３、膵島９を注入する細胞注入口１０および蓋１１を備える。不織布１３が中空糸膜１４に覆われた２層構造となっている（図７）。膵島９は不織布に付着して存在し、バイオ人工膵臓内部に留まることが可能である。このバイオ人工膵臓を体内に埋め込むと、中空糸膜１２の周囲に血管が伸びてきて、バイオ人工膵臓内の細胞の栄養供給が可能となる。２層のバイオリアクターは、注入された膵島と中空糸膜の周囲に誘導された血管がより近くに位置するため、血糖値のコントロールが容易となるため好ましい。なお、当該人工膵臓は、「ＳＧ文献」を参照することにより当業者であれば作製することが可能である。
【００５２】
バイオリアクターに膵島を充填させる方法としては、例えば、バイオリアクターをあらかじめ体内に埋め込んでおき、その後膵島を充填させる方法がある。バイオリアクターが、バック型である場合、バック型バイオリアクターをあらかじめ体内に埋め込んでおき、バイオリアクターの周辺に血管が伸長してから、膵島をバイオリアクターに充填させる方法が好ましい。いずれの場合も、膵島の充填には、膵島懸濁液を１０〜５０ｍｌの注射器を使用して、リアクターに装着されている膵島注入口より注入することが好ましい。
【００５３】
本発明のバイオリアクターはまた、有用物質生産、組織や器官・臓器の機能の調査・探索、新薬のスクリーニングや内分泌撹乱物質等の影響を評価するための動物実験代替法等にも好適に適用できる。
【００５４】
本発明のバイオ人工膵臓は、例えば、膵島に本来備わっている産生成分であるインスリンの製造に使用することができる。インスリンの製造は、得られた培地をアフィニティーカラムなど、通常タンパク質の精製に使用される方法によって精製することにより行なうことができる。
【００５５】
以下、実施例によって、本発明の分離方法をさらに詳細に説明するが、本発明はその趣旨と適用範囲を逸脱しない限りこれらに限定されるものではない。
【実施例】
【００５６】
実施例１
（１）膵臓の摘出
ラット（Ｌｅｗｉｓ、体重４００〜４２０ｇ、ｎ＝１０、日本チャールス・リバー株式会社より入手）に、エーテルの吸入麻酔により呼吸がやや浅くなる程度に麻酔を行なった。ラットの、できるだけ尾側から正中の腹部を切開し、側腹部を肋弓下まで切り上げて、可能な限り頭側に切開した皮膚を牽引し、視野を確保した。つぎに、ラットの十二指腸１を同定し、総胆管２を確認し（図１）、これを尾側にたどりファーター乳頭部３を確認した。ファーター乳頭部３を小モスキートケリー鉗子４で完全にクランプした。ラットの向きを頭尾反対方向にして、左右の胆管から総胆管となった直下（できるだけ頭側の胆管）に３−０絹糸５を通してカニュレーション後のサーフロー６固定のための準備を行なった。マイクロ尖刀で総胆管を切開して胆汁が出てくることを確認した後、クランプにより拡張した総胆管２に、サーフロー（２４ゲージ）６を半分ほど挿入して先の３−０絹糸５で固定した（図２）。サーフロー６から膵管へ濃度０．２３ｍｇ／ｍｌのコラゲナーゼ溶液（Ｌｉｂｅｒａｓｅ  ＲＩ、ロッシュ社製）を８〜１０ｍｌ注入した（注入速度１ｍｌ／秒）。コラゲナーゼ溶液が膵尾部にまで十分に入っていること、および脾臓周辺まで膨化していることを確認した。
【００５７】
再度、ラットの体位を頭尾反対にして、腹部大動脈を尾側で切開してラットを失血死させた。その後、きれいに膨張して花が咲いたようになった膵臓７（図３）を周囲組織（大腸、小腸、脾臓、胃８、十二指腸１、及び後腹膜）から剥離し摘出した（図４）。
【００５８】
大網がくっついてくるが、周辺臓器から丁寧に膵臓の境界を剥離した。
【００５９】
（２）膵臓の消化と膵島の分離
摘出した膵臓と濃度０．２３ｍｇ／ｍｌのコラゲナーゼ溶液（Ｌｉｂｅｒａｓｅ  ＲＩ、ロッシュ社製）５ｍｌを５０ｍｌのコニカルチューブに入れ、３７℃の恒温槽で３０分間静置、湯浸した。その後、直ちに１０ｍｌの冷ＨＢＳＳ＋１０％ＦＢＳ（ＣＡＮＳＥＲＡインターメディカル社製 、トロント、オンタリオ州、カナダ）を混入し、コニカルチューブを氷冷してコラゲナーゼを不活性化した。２０秒間コニカルチューブを激しく振盪し、消化した膵組織の懸濁液を５０ｍｌピペッターで４００μｍのフィルターに通し、ビーカーに吹き付けるように注いだ。濾過された溶液を５０ｍｌコニカルチューブに入れ、ビーカーを冷ＨＢＳＳで洗い、これも回収した。冷ＨＢＳＳを加え総量で５０ｍｌとし、１０ｍｌのピペッターを用いてよく混和し、４℃、１０００ｒｐｍ、１分の条件で遠心した。ペレットを回収し、洗浄・遠心を合計２回行なった。２５％Ｆｉｃｏｌｌ（ＧＥヘルスケア社製、カタログ番号17-0300-50）を８ｍｌを加えて、ペレットとなっている膵島をピペッティングしながら溶かした。その後、２３％、２０％、１１％のＦｉｃｏｌｌをそれぞれ５ｍｌずつゆっくり加えた。１５００ｒｐｍ（４００ｇ）で２０分間遠心した。ピペットを使って２０％レーヤーに位置する膵島を取り出し、５０ｍｌのコニカルチューブに移した。当該膵島をピペッターにて総量１０ｍｌほど吸引しながら回収し、５０ｍｌコニカルチューブへ注ぎ、ＨＢＳＳ＋１０％ＦＢＳを加え総量４０ｍｌとし４℃、１０００ｒｐｍ、１分の条件で遠心した。ペレットを回収し、洗浄・遠心を合計２回行なった。ペレットを１０ｍｌのＣＭＲＬ−１０６６（ギブコ（Gibco）社製）で攪拌し１０ｃｍの培養皿に移した。Ｓｔｅｒｅｏｍｉｃｒｏｓｃｏｐｅ Ｓｔｅｍｉ ＤＶ４顕微鏡(ツァイス（Zeiss）社製、ドイツ)下にスポイト（１ｍｌ用）を用いて膵島をピックアップすることで純化を行なった。
【００６０】
純化後、ジチゾン染色による形態評価、ＬＩＶＥ/ＤＥＡＤ Viability Kit（モレキュラー  プローブス（Molecular Probes）社製）による生存率の評価を行なった。
【００６１】
結果は、１頭のラットから平均２０６３個の膵島を得ることができた。
【００６２】
比較例１
体重４００〜４２０ｇのラット５頭を用い、ファーター乳頭部を完全にクランプしていない以外実施例１と同様の方法で膵島を分離した。
【００６３】
結果は、１頭のラットから平均６４０個の膵島しか得ることができなかった。
【００６４】
比較例２
体重４００〜４２０ｇのラット５頭を用い、膵臓摘出前に失血死させていない以外は実施例１と同様の方法で膵島を分離した。
【００６５】
結果は、１頭のラットから平均６１６個の膵島しか得ることができなかった。
【００６６】
試験例１：形態学的評価
実施例１で得られた膵島についてジチゾン染色を施し形態学的に評価を行なった。染色した膵島の写真を図５に示す。実施例１の膵島９は、形態も球形で縁辺がスムーズで綺麗であった。
【００６７】
結果は、１．形状が「球状：５点」、２．辺縁の形状が「均整のとれた：５点」、３．統合性が「ソリッド／コンパクト：５点」、４．直径が「培養膵島の個々中１０％以上が２００μｍより大きい：５点」、５．染色の均一性が「完全に均一：５点」であり、評価値の合計が２５点であった（図５参照）。
【００６８】
また、膵島の生存率をＬＩＶＥ/ＤＥＡＤ Viability Kitを用いて検討したところ、ほぼ１００％の生存率であった（生細胞は緑色を、死細胞は赤色を呈する）（図６参照）。
【００６９】
ラット３頭から分離した膵島数は、犬１頭の膵臓から摘出した膵島数に匹敵する。よって、当該ラット膵島を免疫隔離作用を有するバイオ人工膵臓デバイスに注入して、糖尿病犬を治療することが可能であると考えられる。
【００７０】
試験例２：バイオ人工膵臓の評価
使用したバイオ人工膵臓のリアクターを図８に示す。バイオ人工膵臓は膵島を注入する細胞注入口１０、蓋１１、免疫担当細胞の透過を阻止するためのエチレン−ビニルアルコール共重合体膜（商品名エバール、クラレメディカル社製、ポアサイズ：３０ｎｍ）１４、細胞接着のためのＰＡＵ加工ＨＤＰＥ不織布１５からなる（図８）。また、リアクターの蓋部分は注射針を刺し細胞を出し入れすることができる細胞充填用ポートに加工されている。
【００７１】
実施例１にて、得られた３０００個のラット膵島を各々計３個の二層式のバック（リアクター）に充填して培養を７日間施行し、培養液中へ分泌されるインスリン量をRat Insulin ELISA kit（メルコディア（Mercodia）社製）を使用して測定した。使用した培養液は、ＣＭＲＬ  １０６６＋１０％ＦＢＳ＋１％ペニシリン／ストレプトマイシンである。
【００７２】
結果を図９に示す。実施例１で得られたラット膵島は、バイオ人工膵臓として、１日目から７日目までほとんど変わらず十分なインスリン量を分泌した。
【００７３】
試験例３：バイオ人工膵臓の評価
培養期間を３５日間とした以外は、試験例２と同様にしてバイオ人工膵臓の評価を行なった。
【００７４】
結果を図１０に示す。培養１４日間でインスリン分泌量は半減したが、その後培養２８日まで維持された。膵島を充填していない対照群（図１０の陰性対照）では、一切、インスリン分泌は認めなかった。
【図面の簡単な説明】
【００７５】
【図１】腹部を切開したラットの腹部内の写真である。頭部が上側である。十二指腸１および総胆管２が確認できる。矢印は総胆管の走行を示すものである。
【図２】本発明の方法にしたがって、ラットのファーター乳頭部を小モスキートケリー鉗子４で完全にクランプし、総胆管に通した３−０絹糸５により総胆管に挿入したサーフローを固定している状態の写真である。頭部は下側である。
【図３】本発明の方法にしたがって、膵臓にコラゲナーゼを十分に注入し、腹部大動脈より失血させたラットの膨張した膵臓を示す写真である。矢印で周辺組織との境界を示す。
【図４】本発明の方法にしたがって、ラットの膵臓を周辺組織から摘出した後のラット腹部の写真である。周辺組織も傷ついておらず、きれいに膵臓が摘出されたことがわかる。
【図５】ジチゾン染色された本発明にしたがって分離されたラット膵島９を示す写真である。
【図６】生細胞を緑色、死細胞を赤色に染色するＬＩＶＥ/ＤＥＡＤ Viability Kitを用いて染色した、本発明にしたがって分離されたラット膵島９を示す写真である。すべての膵島が緑色に呈色している。
【図７】本発明で使用したバイオ人工膵臓の概略図であり、（ａ）が斜視図、（ｂ）が（ａ）のＸ−Ｙ断面図である。バイオ人工膵臓は膵島９を注入する細胞注入口１０、蓋１１、免疫担当細胞の透過を阻止するための中空糸膜１２、細胞接着のための不織布１３からなる。
【図８】（ａ）は、本発明で使用したバイオ人工膵臓の一実施態様を示す写真である。バイオ人工膵臓は、膵島を注入する細胞注入口１０、蓋１１、免疫担当細胞の透過を阻止するためのエチレン−ビニルアルコール共重合体膜（商品名エバール、クラレメディカル社製）１４、細胞接着のためのＰＡＵ加工したＨＤＰＥ不織布１５からなる。（ｂ）および（ｄ）は、それぞれ、エバール１４およびＰＡＵ加工ＨＤＰＥ不織布１５の表面の顕微鏡写真であり、（ｃ）および（ｅ）は、エバール１４およびＰＡＵ加工ＨＤＰＥ不織布１５の断面の顕微鏡写真である。
【図９】培養１日目〜１４日目までの、本発明の膵島を充填したバイオ人工膵臓のインスリン分泌量を示すグラフである。
【図１０】培養７日目〜３５日目までの、本発明の膵島を充填したバイオ人工膵臓のインスリン分泌量を示すグラフである。膵島を充填していないバイオ人工膵臓の結果を陰性対照として示す。
【符号の説明】
【００７６】
１  十二指腸
２  総胆管
３  ファーター乳頭部
４  小モスキートケリー鉗子
５  ３−０絹糸
６  サーフロー
７  膵臓
８  胃
９  膵島
１０  細胞注入口
１１  蓋
１２  中空糸膜
１３  不織布
１４  エチレン−ビニルアルコール共重合体膜
１５  ＰＡＵ加工ＨＤＰＥ不織布
【図７】
2009213573.tif 000002
【図９】
2009213573.tif 000003
【図１０】
2009213573.tif 000004
【図１】
2009213573.tif 000005
【図２】
2009213573.tif 000006
【図３】
2009213573.tif 000007
【図４】
2009213573.tif 000008
【図５】
2009213573.tif 000009
【図６】
2009213573.tif 000010
【図８】
2009213573.tif 000011